(57)【要約】      （修正有）【課題】コンパクトな形状で携帯でき、快適な使用感のヒーター機能付き椅子を提供する。【解決手段】座部１０と支持部材を有し、発熱層３１と断熱層３２とを含む積層シートからなる発熱体３０が上記座部に内蔵されている、椅子。【選択図】図９
0003233525.tif 000002
【実用新案登録請求の範囲】
【請求項１】
座部と支持部材を有し、発熱層と断熱層とを含む積層シートからなる発熱体が上記座部に内蔵されている、椅子。
【請求項２】
上記座部が座面、背もたれ、２つの側面を有し、少なくとも上記座面の一部に上記発熱体が内蔵されている、
請求項１に記載の椅子。
【請求項３】
携帯電池から上記発熱層に電力が供給される、請求項１に記載の椅子。
【請求項４】
上記座部が薄物材料からなり、
上記座面、上記背もたれ、上記２つの側面から選ばれる２以上の区画の境界部に間隙を形成することができる、請求項２に記載の椅子。
【請求項５】
上記間隙を開閉することができる、請求項４に記載の椅子。
【請求項６】
上記支持部材が、棒状部材と連結部材とを含み、
上記支持部材が上記座部を位置決めすると共に脚として機能する、
請求項１に記載の椅子。
【請求項７】
さらに留め具及び／又は収納体を有する、請求項１に記載の椅子。
【請求項８】
折り畳み可能である、請求項１に記載の椅子。
【請求項９】
アウトドア製品である、請求項１に記載の椅子。
【考案の詳細な説明】
【技術分野】
【０００１】
本考案はヒーター付き椅子に関する。
【背景技術】
【０００２】
ヒーター付きの椅子としては、様々な製品が提案されている。例えば、背もたれと座面に温熱パネルを配置した椅子（特許文献１）、発熱体を内蔵した座椅子（特許文献２）が提案されている。これらは、住宅内で使用する家具にヒーター機能をもたせたものであって、椅子自体の持ち運びや移動は想定されていない。
【０００３】
一方、ヒーター付きクッションを取り付けた車椅子（特許文献３，特許文献４）や発熱体を内蔵した車両用シートも提案されている（特許文献５）。これらは移動に用いられる座面にヒーター機能をもたせたものであるが、椅子や座席そのものは大型であって、使用者自身が携帯することはできない。
【０００４】
特許文献６には、椅子用保温マットが記載されている。この椅子用保温マットは携帯できるが、使用地点に予め設置されたベンチや床に置いて使うことを想定している。このため、予め設置されたベンチや床の仕様によって、例えば、背もたれや肘掛けの有無によって、使用感は大きく異なる。要するに、このような持ち運び可能な保温マットには快適性は保証されていない。
【先行技術文献】
【特許文献】
【０００５】
【特許文献１】実用新案登録第３１３８８７９号公報
【特許文献２】特開平１１−２６６９６６号公報
【特許文献３】特開２００４−２６１４１５号公報
【特許文献４】特開２００９−  ９５５２０号公報
【特許文献５】特開２００８−２１３６６１号公報
【特許文献６】特開２００６−  ３４９２２号公報
【考案の開示】
【考案が解決しようとする課題】
【０００６】
このように、ヒーター機能を持ち、簡単に持ち運びでき、使用者の一人一人が快適に使用できる椅子は、未だ提案されていない。そこで本考案者は、ヒーター機能を有し、携帯でき、使用地点の設備に快適性を制約されることがない椅子を求めた。
【課題を解決するための手段】
【０００７】
その結果、本考案者は以下のようなヒーター機能付き椅子を完成した。
（考案１）座部と支持部材を有し、発熱層と断熱層とを含む積層シートからなる発熱体が上記座部に内蔵されている、椅子。
（考案２）上記座部が座面、背もたれ、２つの側面を有し、少なくとも上記座面の一部に上記発熱体が内蔵されている、考案１の椅子。
（考案３）携帯電池から上記発熱層に電力が供給される、考案１の椅子。
（考案４）上記座部が薄物材料からなり、上記座面、上記背もたれ、上記２つの側面から選ばれる２以上の区画の境界部に間隙を形成することができる、考案２の椅子。
（考案５）上記間隙を開閉することができる、請求項４に記載の椅子。
（考案６）上記支持部材が、棒状部材と連結部材とを含み、
上記支持部材が上記座部を位置決めすると共に脚として機能する、
考案１の椅子。
（考案７）さらに留め具及び／又は収納体を有する、考案１の椅子。
（考案８）折り畳み可能である、考案１の椅子。
（考案９）アウトドア製品である、考案１の椅子。
【考案の効果】
【０００８】
本考案の椅子は、ヒーター機能を有し、コンパクトな形状で携帯することができる。また本考案の椅子は、快適な使用感を有する。  
【図面の簡単な説明】
【０００９】
【図１】本考案の椅子の座部の例。上から見た様子を示す。
【図２】本考案の椅子の座部の例。上から見た様子を示す。
【図３】本考案の椅子の座部の例。横から見た様子を示す。
【図４】本考案の椅子の座部の例。横から見た様子を示す。
【図５】本考案の椅子の開閉機構の例。
【図６】本考案の椅子の開閉機構の例。
【図７】本考案の椅子の座部の例。横から見た様子を示す。
【図８】本考案の椅子の座部の例。横から見た様子を示す。
【図９】本考案で用いる発熱体の積層例を示す。
【図１０】本考案の椅子の支持部材の例。
【図１１】本考案の椅子の例。
【図１２】本考案で用いる発熱体に携帯電池を接続した様子を示す。
【考案を実施するための形態】
【００１０】
以下、本考案を、図面を参照させながら説明する。図面に示された椅子の形状は模式図であって、実際の寸法や形状を正確には再現しておらず、細部の誇張や省略がある。図面に示された椅子は例であって、本考案は図示された椅子に制限されない。
【００１１】
［座部］  本考案の椅子は、座部と支持部材を有する。典型的には、上記座部は、座面、背もたれ、２つの側面を含む。本考案の椅子の使用者が上記座部に腰掛けると、上記座面、上記背もたれ、上記２つの側面で囲まれる部分で体を安定させることができる。支持部材は、上記座部を支持する部材である。このような支持部材には、いわゆる椅子の脚を含むことができる。また上記支持部材を台座状にすることもできる。上記台座状の支持部材にローラーやコロなどの移動手段が付属してもよい。
【００１２】
上記座部を軽量で耐久性のある部材で構成すれば、本考案の椅子を簡単に運搬し携帯することができる。この場合、上記座部の材料として薄物材料が好ましい。上記薄物材料としては、天然あるいは合成あるいはこれらを組合せた材料からなる、シート、フィルム、織布、不織布あるいはこれらの組合せが、好ましい。上記座部を柔軟な薄物材料で形成した場合には、座部を折りたたむことができる。本考案の椅子を屋外で使用する場合には、風雨や汚れに耐える合成樹脂製の薄物材料が好ましい。上記薄物材料の表面の防汚加工、防水加工、抗菌加工がなされていてもよい。上記薄物材料には、印刷や接着による装飾や、ポケットやカップホルダーなどの収納品、強化部材などが付属してよい。
【００１３】
快適性を向上させるために、薄物材料からなる上記座面、上記背もたれ、上記２つの側面から選ばれる２以上の区画の境界部に間隙を形成することができる。間隙が形成される好ましい位置は、使用者の体の両脇に近い部分、典型的には、側面と背もたれとの境界部分である。使用者が腰掛けたときや姿勢を変えた時に上記間隙が広がることによって、上記座面、上記背もたれ、上記２つの側面の一部だけの形状が変化する。しかも間隙が上記座面、上記背もたれ、上記２つの側面のいずれかの端部に発生するために、上記間隙が使用者の体の真下に広がることがない。使用者が様々に動作しても、いわゆる「突っ張り」や「落ち込み」が生じず、使用者は常に圧迫感なく快適に本考案の椅子で体重を支えることができる。
【００１４】
本考案の椅子では、上記間隙を開閉する手段を設けることもできる。このような手段は、本考案の椅子をアウトドア製品として利用する際に便利である。暑い季節には上記間隙を開放して通気性をよくし、寒い季節には上記間隙を閉塞して保温性をよくすることができる。
【００１５】
図１に、本考案の椅子の座部を上から見た様子を示す。支持部材は省略している。椅子（１）の座部（１０）は、座面（１１）、背もたれ（１２）、２つの側面（１３１，１３２）からなる。座面（１１）、背もたれ（１２）、側面（１３１，１３２）の境界部を便宜上、直線で表示している。座面の材質や製造方法によってはこのような境界は実際には視認できないことがある。プラスチックを真空成形して座面（１０）を一体成形することができる。あるいは、予め裁断された合成織布製の座面（１１）、背もたれ（１２）、側面（１３１，１３２）を縫い合わせて座部（１０）を製造することもできる。座面（１１）の一部には、後述の発熱体（３０）が内蔵されている。図１には便宜上、発熱体（３０）の位置を示すが、実際には発熱体（３０）自体は椅子（１）の外部から見えない。図１は、上記間隙が無いか或いは閉塞した状態を示す。
【００１６】
図２，図３，図４に、柔軟な薄物材料からなる座部（１０）の例を示す。座部（１０）には開閉可能な間隙（４１，４２）が形成されている。背もたれ（１２）は上部（背もたれ上部，１２１）と下部（背もたれ下部，１２２）に分かれるが、背もたれ上部（１２１）と背もたれ下部（１２２）は実際には連続しており両者の境界は視認できない。この例では、間隙（４１）は側面（１３１）と背もたれ下部（１２２）の境界で開閉する。間隙（４２）は側面（１３２）と背もたれ下部（１２２）の境界で開閉する。図３は、間隙（４２）が閉塞された状態を示す。図４は、間隙（４２）が開放された状態を示す。側面（１３１，１３２）の端部と背もたれ上部（１２１）の端部とを接続（縫い合わせる）が、側面（１３１，１３２）の端部と背もたれ下部（１２２）の端部とを分離する（縫い合わせない）ことによって、間隙（４１，４２）を形成することができる。この場合、座面（１０）が使用者の動作などによって押圧されると座面（１０）が押し広げられ、側面（１３１，１３２）の端部（１３１１，１３２１）と背もたれ下部（１２２）の端部（１２２１）とが離れて間隙（４１，４２）が開口する。逆に、座面（１０）から使用者が立ち上がるなどして上記押圧が無くなると、側面（１３１，１３２）の端部（１３１１，１３２１）と背もたれ下部（１２２）の端部（１２２１）とが接近し密着して間隙（４１，４２）が閉塞する。図３は端部（１３２１）と端部（１２２１）とが密着して間隙（４２）が閉塞した様子を示す。図４は端部（１３２１）と端部（１２２１）とが離れて間隙（４２）が開口した様子を示す。
【００１７】
図５，図６，図７，図８に、間隙（４２）の開閉手段（５２）の例を示す。開閉手段（５２）は、側面（１３２）の端部（１３２１）から延長するタブ（５２１）と、密着手段（５２２１，５２２２，５２３１，５２３２）とを含む。図５，図６，図７は、密着手段（５２２１，５２２２，５２３１，５２３２）として面ファスナーを用いる場合を示す。面ファスナー（５２２１，５２２２）は、タブ（５２１）の両面に設けられている。面ファスナー（５２３１）は側面（１３２）の外表面に配置されている。面ファスナー（５２３２）は背もたれ下部（１２２）の外表面に配置されている。
【００１８】
図５に示すように、タブ（５２１）は矢印の方向に動いて側面（１３２）に近づく。図６に示すように、タブ（５２１）は矢印の方向に動いて背もたれ下部（１２２）に近づく。
【００１９】
面ファスナー（５２２２）と面ファスナー（５２３２）を密着させてタブ（５２１）を背もたれ下部（１２２）に固定すると、間隙（４２）が閉じる。
【００２０】
面ファスナー（５２２１）と面ファスナー（５２３１）を密着させてタブ（５２１）を側面（１３２）に固定すると、背もたれ下部（１２２）の端部（１２２１）と側面（１３２）の端部（１３２１）とが座面の動きに応じて遠ざかることができるようになる。背もたれ下部（１２２）の端部（１２２１）と側面（１３２）の端部（１３２１）とがより離れることによって、間隙（４２）がより広く開口する。
【００２１】
間隙（４１）も、開閉手段（５２）と同様の開閉手段（５１）によって開閉する。
【００２２】
［発熱体］  本考案の椅子に内蔵された発熱体は、発熱層と断熱層とを含む積層シートからなる。上記発熱体は、座部のうち少なくとも座面の一部に配置される。
【００２３】
上記発熱層として、一般に面状発熱体（面状ヒーター）に用いられる発熱層を制限なく使用することができる。上記発熱層としては、例えば、基材面上に電熱線が配置された電熱線層、金属箔やカーボンフィルムなどの導電性薄膜、導電性材料が塗布されたプラスチックフィルムなどが用いられる。
【００２４】
上記断熱層としては、薄膜状の断熱材が制限なく使用される。コストや柔軟性の点で、発泡ポリマーからなるシートが好ましい。例えば、ポリスチレン、ポリエチレン、ポリプロピレンなどのポリオレフィンやポリウレタンからなる発泡体が上記断熱材として用いられる。上記断熱層には熱反射層を付属させることができる。このような熱反射層として例えばアルミニウムなどの金属層が用いられる。本考案では、発泡樹脂シートの両面にアルミニウムが蒸着によって積層された、アルミニウム層／発泡層／アルミニウム層積層体を用いることができる。
【００２５】
上記積層シートは、必要に応じて保護層や接着層、中間層を含むことができる。上記積層シートは、同種の層（例えば発熱層、断熱層）を複数有することもできる。
【００２６】
図９に、本考案の座部に内蔵された発熱体の例を示す。発熱体（３０）は座部（１０）の使用者に接する側の表生地（１０１）と椅子の底面側の裏生地（１０２）に挟まれた形で座部（１０）に内蔵されている。発熱体（３０）は、発熱層（３１）、発泡樹脂製断熱層（３２）、蒸着アルミニウムからなる反射層（３３）を含み、発熱層（３１）が表生地（１０１）の下面に接する。発熱層（３１）の下側に、反射層（３３）、断熱層（３２）、反射層（３３）がこの順で積層されている。発熱体（３０）をこのような層構造とすることで、発熱層（３１）が発生する熱が座部（１０）の下側（裏生地（１０２）側）に逃げるのを防ぎ、また座部の下側からの冷気が座部（１０）に進入するのを防ぐ。
【００２７】
上記発熱体（３０）には外部電源が接続される。電池を発外部電源として用いると、本考案の椅子の移動や携帯に有利である。スマートフォンなどのモバイル端末の充電に兼用できる携帯電池（いわゆるモバイルバッテリー）は上記電池として有用である。本考案の椅子に上記携帯電池を収納する部分を設けることもできる。
【００２８】
［支持部材］  本考案の座面に付属する支持部材としては、一般的な椅子類に用いられている脚、枠、肘掛けなどの構造部材を制限なく使用することができる。上記支持部材は上記座部を位置決めすると共に脚として機能する。上記支持部材として折り畳みや分離、分解が可能な部材を用いると、本考案の椅子の搬送や携帯に有利である。
【００２９】
上記支持部材として棒状部材と連結部材を用いることができる。例えば図１０に示すような、複数の棒状部材（２１）とハブ（２２１）と紐（２２２）からなる連結部材（２２）とを組合せた支持部材（２０）を用いることができる。このような支持部材は、比較的軽量であり、組立が簡単で、棒状部材あるいは連結部材の散逸を避けられるため、搬送や携帯に適している。
【００３０】
［付属物］  本考案の椅子には、上述の座部、支持部材、発熱体の他に、使用目的や使用環境に応じて、他の部材を付属させることができる。例えば、折りたたんだ状態の座部及び／又は支持部材の形状を安定させる部材として、フックやベルトなどの留め具や、袋やネットなどの収納体を付属させることができる。
【実施例】
【００３１】
図１１に、本考案の椅子の他の例を示す。図１１に示す本考案の椅子（１）は、キャンプやスポーツ観戦などに用いるアウトドア用の椅子として設計されている。座部（１０）はポリエステル布製であり、折りたたむことができる。座面（１１）から背もたれ（１２）にかけて発熱体（３０）が内蔵されている。発熱体（３０）のおおよその位置を便宜上点線で示す。実際には発熱体（３０）は側面に内蔵されていないので、図１１に示す向きに見ると発熱体（３０）が内蔵された区画は視認できない。支持部材（２０）はコンパクトに折りたたむことができる。折りたたんだ状態で、座部（１０）と支持部材（２０）は付属のベルト（６０）で固定される。また支持部材（２０）にはフック（７０）も付属しており、椅子（１）全体を他の物品に掛けることができる。使用者は携帯電池を発熱体（３０）に接続して座部（１０）とその周辺を温めことができる。発熱体（３０）は薄型であり、非使用時であっても不快感を与えない。使用者は、夏場には、使用者は開閉手段（５２）によって背もたれ下部（１２２）の両脇を開口して、座部（１０）の蒸れを防ぐことができる。
【００３２】
図１２に図１１に示す発熱体（３０）にケーブル（９０）を介して携帯電池（８０）を接続した様子を示す。
【産業上の利用可能性】
【００３３】
本考案の椅子は、ヒーター機能を備えるにもかかわらず、単純な構造で使用感が良好である。本考案の椅子の各部材を適当に選択によって軽量性と耐久性を両立することができ、折り畳みや分解が可能となる。このような本考案の椅子は移動や設置、携帯や搬送、保管に有利である。本考案の椅子は、一般家庭、病院や福祉施設、教育施設、屋外でのスポーツ観戦やキャンプなどのレジャー、イベント会場や店舗などの商業施設で有効である。
【符号の説明】
【００３４】
１  椅子
１０  座部
１０１  表生地
１０２  裏生地
１１  座面
１２  背もたれ
１２１  背もたれ上部
１２２  背もたれ下部
１２２１  端部
１３１，１３２  側面
１３２１  端部
２０  支持部材
２１  棒状部材
２２  連結部材
２２１  ハブ
２２２  紐
３０  発熱体
３１  発熱層
３２  断熱層
３３  反射層
４１，４２  開閉可能な間隙
５２  開閉手段
５２１  タブ
５２２１，５２２２，５２３１，５２３２  密着手段（面ファスナー）
６０  ベルト
７０  フック
８０  携帯電池
９０  ケーブル
【図１】
0003233525.tif 000003
【図２】
0003233525.tif 000004
【図３】
0003233525.tif 000005
【図４】
0003233525.tif 000006
【図５】
0003233525.tif 000007
【図６】
0003233525.tif 000008
【図７】
0003233525.tif 000009
【図８】
0003233525.tif 000010
【図９】
0003233525.tif 000011
【図１０】
0003233525.tif 000012
【図１１】
0003233525.tif 000013
【図１２】
0003233525.tif 000014